(57)【特許請求の範囲】
【請求項１】
以下の工程を順に行うことを特徴とする地下構造物の改築方法。
（ａ）既設地下外壁部と仮地下壁との間の床スラブおよび梁を切断した後、既設地下外壁部に近接して仮地下壁を構築する。
（ｂ）既設地下外壁部と仮地下壁との空間に泥水を満たすとともに、既設地下外壁を適宣間隔に切断してブロック化する。
（ｃ）既設地下外壁部の外側面を周囲地盤と縁切りする。
（ｄ）ブロック化された既設地下外壁部を地上の引上げ装置により引抜き・撤去する。
（ｅ）引抜き跡にケーシングを挿入し、これと地下仮外壁との間の泥水を固化させ、ケーシングを引抜く。
（ｆ）新たな地下外壁部を構築するとともに、これに前後し、または並行して、既設建物本体部の解体および新たな地下構造物を構築する。
【請求項２】
前記工程（ｂ）において、既設地下外壁の切断を長尺コアボーリングによる連続孔明け作業により行うことを特徴とする請求項１に記載の地下構造物の改築方法。
【発明の詳細な説明】
【０００１】
【発明の属する技術分野】
本発明は、地下構造物の改築方法に関し、特に既設地下外壁を解体しつつ地下構造物の構築を行えるようにした方法に関する。
【０００２】
【従来の技術】
既設地下構造物を改築しようとする場合、既設地下外壁または既設土留壁（以下、地下外壁部と称する）が障害となる。外壁部を撤去する際には、一般にロックオーガによる破砕作業により行われていたが、ビットの損耗が著しく、しかも騒音、振動が著しく、オーガーが敷地境界からはみ出すなどの理由により、隣地境界に対して外壁部がぎりぎりいっぱいに構築されている場合には、完全には撤去できなかった。
【０００３】
そこで、従来では、例えば特開平２−１３２２２６号公報、あるいは特公平２−１３０９４号公報に示すように、既設外壁部を残置したままの施工がなされていた。前者の方法では、例えば図６に示すように、隣接地域の地盤を安定に保つべく、既設地下外壁部１のみを残して既設地下構造物を解体し、既設地下外壁部１の内側に新たな地下外壁部２を構築し、次いで地下構造物を構築する方法をとっている。また、後者の方法では、既設地下外壁部を下方に延長する方法が採られている。
【０００４】
【発明が解決しようとする課題】
しかしながら、前者の方法では、新たな地下構造物が既設の地下構造物より小さくなる制約があり、また、後者の方法では、施工が困難であり、しかも既設構造物を混在させた状態で構築するため、出来上った構造物の耐久性などにも疑問が生ずるものであった。
【０００５】
本発明方法は、以上の欠点を解消するものであり、その目的は、既設の地下外壁部を解体しつつ新たな地下構造物を構築できるようにした地下構造物の改築方法を提供するものである。
【０００６】
【課題を解決するための手段】
以上の目的を達成するため、本発明の改築方法は、既設地下外壁部と仮地下壁との間の床スラブおよび梁を切断した後、既設地下外壁部に近接して仮地下壁を構築し、既設地下外壁部と仮地下壁との空間に泥水を満たすとともに、既設地下外壁を適宣間隔に切断してブロック化し、既設地下外壁部の外側面を周囲地盤と縁切りし、ブロック化された既設地下外壁部を地上の引上げ装置により引抜き・撤去し、引抜き跡にケーシングを挿入し、これと地下仮外壁との間の泥水を固化させ、ケーシングを引抜き、新たな地下外壁部を構築するとともに、これに前後し、または並行して、既設建物本体部の解体および新たな地下構造物を構築することを順に行うものである。
【０００７】
従って、本発明方法にあっては、既設外壁部を完全撤去しながら新たな地下構造物の構築が可能となる。
【０００８】
本発明においては、前記工程（ｂ）において、既設地下外壁の切断を長尺コアボーリングによる連続孔明け作業により行うことが好ましい。この発明において、「長尺コアボーリングによる連続孔明け」とは、コアボーリング方法により縦方向に形成されるボーリング孔を壁厚方向に連続させる作業により、外壁部を切り分ける作業を言い、従来のロックオーガによる破砕作業に比べて静粛性があり、ビットの損耗がなく、完全な切り分け作業が可能である。
【０００９】
【発明の実施の形態】
以下、本発明の好ましい実施の形態につき、添付図面を参照して詳細に説明する。図１〜５は本発明の改築方法の手順を示している。まず図１において、既設地下構築物の解体準備作業がなされる。この方法は、地下連続壁及びこれと一体化されている躯体外壁からなる外壁部１０と連結している地下各階の梁・スラブ１１を切断１２し、また、地下底板の下面に薬注１３を行ってその下部地盤の止水を行った後、仮外壁１４により切断１２の部分を遮蔽し、次いで仮外壁１４と外壁部１０との間に泥水１５を注入充填することで、準備作業を完了する。
【００１０】
次に、図２に示すように、地表部に長尺コアボーリングマシン１６を配置し、その削孔用チューブ１８をマシン１６の縦ガイド１６ａに沿って地下外壁部に鉛直に挿入しつつ回転駆動することで、その先端ビット１８ａによる削孔作業がなされ、外壁部１０の頂部から底部までに至るボーリング孔２０が形成される。
【００１１】
この削孔作業を、図の一部に拡大して示すように、外壁部１０の壁厚方向に沿って孔２０の一部を交叉させた状態で連続的に繰返すことで、外壁部１０は深度方向に沿って切り分けられる。以上の作業は外壁部１０の長手方向に沿って所定ピッチ間隔で繰返されることで、外壁部１０は深度方向に沿って切り分けられた複数のコンクリートブロックに分割される。なお、ボーリング孔２０の先端の曲りによる未切断部分の残留は、先行ボーリング孔２０をガイドとして後行ボーリング孔２０を明けることで解消される。
【００１２】
次に図３に示すように、ウオータジェット吹付け用重機２２を地表部に位置させ、ウオータジェット吹付け用パイプ２４を外壁部１０の外側と周囲地盤との間に挿入しつつ先端よりアグレッシブをジェット噴出させることにより、外壁部１０に対する土の付着がカットされ、外壁部１０を構成している各ブロックは、この縁切り作業により引抜き可能な状態となる。
【００１３】
その後は、図４に示すように、引上げ装置２６を地表部に位置させ、切り分けられた各ブロックの上部にワイヤＷを玉掛けし、装置２６に配置されたリフティングジャッキ２８を駆動することで、各ブロックはその断面通りの形で順次地表部に引上げられ撤去される。
【００１４】
撤去後は、図５に示すように、外壁部後の最深部である土留壁跡に泥水１５が流れ込むが、この上部位置である躯体部分にケーシング３２を建て込み、このケーシング３２と仮外壁１４との間に再度泥水３４を注入充填する。但し、この泥水３４は固化性のある泥土素材を用い、この泥水３４が固化した後、ケーシング３２を引抜けば、ケーシング形状に応じた溝が形成される。
【００１５】
従ってその後は、この溝を新たな土留壁及び躯体側外壁となる型枠として、鉄筋の建て込みとコンクリートの打設により新たな地下外壁部を構築することが出来る。また、新たな地下外壁部の構築後は、梁・スラブ１１、仮外壁１４の撤去、泥水３４の固化した泥土の除去を行いつつ、順次新たな梁・スラブを外壁部に接続しつつ構築することで、地下構造物の構築作業がなされることになる。
【００１６】
【発明の効果】
以上の説明により明らかなように、本発明による地下構造物の改築方法によれば、既設外壁部を完全撤去しながら新たな地下構造物の構築が可能となり、これにより、新築部分の面積を旧構築物の面積と同等に構築でき、しかも工法的にも簡単で、旧材料との混在による耐久性に対する懸念も解消される。
【図面の簡単な説明】
【図１】本発明方法における地下外壁部撤去準備作業時における説明用断面図である。
【図２】同外壁部切り分け作業時の一部拡大図を含む説明用断面図である。
【図３】同外壁部と周囲地盤との縁切り作業時の説明用断面図である。
【図４】同ブロック状に切り分けられた外壁部の引上げ作業時の説明用断面図である。
【図５】同外壁部引上げ後の溝に対するケーシングの建て込み作業を示す説明用断面図である。
【図６】従来の改築方法の一例を示す説明用断面図である。
【符号の説明】
１０  地下外壁部
１１  梁・スラブ
１２  切断
１４  仮外壁
１５，３４  泥水
１６  長尺コアボーリングマシン
１８  ボーリング用チューブ
２０  ボーリング孔
２２  ウオータージェット吹付け用重機
２６  引上げ装置
３２  ケーシング
【図１】
0003620323.tif 000002
【図２】
0003620323.tif 000003
【図３】
0003620323.tif 000004
【図４】
0003620323.tif 000005
【図５】
0003620323.tif 000006
【図６】
0003620323.tif 000007